(57)【要約】【課題】  第１コネクタ４９の搭載面積を小さくして、携帯電話２３の小型化を促進すること。【解決手段】  両面側に極細同軸ケーブル３９と同数の第１接続パターン４５を有し、多数本の第１接続パターン４５の基端部４５ａが対応関係にある極細同軸ケーブル３９の一端部にそれぞれ電気的に接続するように構成された第１フレキシブル回路基板４３と；  第１フレキシブル回路基板４３の表面に設けられ、多数本の第１パターン側端子５１が対応関係にある第１接続パターン４５の先端部４５ｂにそれぞれ電気的に接続するように構成されフレキシブル回路基板専用の第１コネクタ４９と；を具備したこと。【選択図】      図１
2005259598.tif 000002
【特許請求の範囲】
【請求項１】
電気機器における第１電子部品と第２電子部品を電気的に接続するために用いられる極細同軸ケーブルアセンブリにおいて、
集合した多数本の極細同軸ケーブルと；
両面側に前記極細同軸ケーブルと同数の第１接続パターンを有し、多数本の前記第１接続パターンの基端部が対応関係にある前記極細同軸ケーブルの一端部にそれぞれ電気的に接続するように構成された第１フレキシブル回路基板と；
前記第１フレキシブル回路基板の表面に設けられ、前記極細同軸ケーブルと同数の第１パターン側端子を有し、多数本の前記第１パターン側端子が対応関係にある前記第１接続パターンの先端部にそれぞれ電気的に接続するように構成され、前記第１電子部品における第１相手コネクタに嵌合可能なフレキシブル回路基板専用の第１コネクタと；
両面側に前記極細同軸ケーブルと同数の第２接続パターンを有し、多数本の前記第２接続パターンの基端部が対応関係にある前記極細同軸ケーブルの他端部にそれぞれ電気的に接続するように構成された第２フレキシブル回路基板と；
前記第２フレキシブル回路基板の表面に設けられ、前記極細同軸ケーブルと同数の第２パターン側端子を有し、多数本の前記第２パターン側端子が対応関係にある前記第２接続パターンの先端部にそれぞれ電気的に接続するように構成され、前記第２電子部品における第２相手コネクタに嵌合可能なフレキシブル回路基板専用の第２コネクタと；  を具備してなることを特徴とする極細同軸ケーブルアセンブリ。
【請求項２】
前記第１フレキシブル回路基板の両面にそれぞれ設けられ、多数本の前記極細同軸ケーブルの外部導体に挟むように電気的に接続した一対の第１グランドバーと；
前記第２フレキシブル回路基板の両面にそれぞれ設けられ、多数本の前記極細同軸ケーブルの外部導体に挟むように電気的に接続した一対の第２グランドバーと；  を具備してなることを特徴とする請求項１に記載の極細同軸ケーブルアセンブリ。
【請求項３】
多数本の極細同軸ケーブルを集合してなる極細同軸ケーブルアセンブリの端末構造において、
両面側に前記極細同軸ケーブルと同数の接続パターンを有し、多数本の前記接続パターンの基端部が対応関係にある前記極細同軸ケーブルの端部にそれぞれ電気的に接続するように構成されたフレキシブル回路基板と；
前記フレキシブル回路基板の表面に設けられ、前記極細同軸ケーブルと同数のパターン側端子を有し、多数本の前記パターン側端子が対応関係にある前記接続パターンの先端部にそれぞれ電気的に接続するように構成され、電子部品における相手コネクタに嵌合可能なフレキシブル回路基板専用のコネクタと；  を具備してなることを特徴とする極細同軸ケーブルアセンブリの端末構造。
【請求項４】
前記フレキシブル回路基板の両面にそれぞれ設けられ、多数本の前記極細同軸ケーブルの外部導体に挟むように電気的に接続した一対のグランドバーと；  を具備してなることを特徴とする請求項３に記載の極細同軸ケーブルアセンブリの端末構造。
【発明の詳細な説明】
【技術分野】
【０００１】
本発明は、携帯電話、デジタルカメラ、ノートパソコン等の電気機器に配線材として用いられる極細同軸ケーブルアセンブリ、及び極細同軸ケーブルの端末構造に関する。
【背景技術】
【０００２】
近年、携帯電話、デジタルカメラ、ノートパソコン等の電気機器にあっては、前記電気機器の液晶表示部の解像度を高める等の理由により、ノイズの影響の少ない極細同軸ケーブルアセンブリが配線材として用いられるようになってきている。
【０００３】
次に、一般的な極細同軸ケーブルアセンブリについて図５及び図６を参照して説明する。ここで、図５は、一般的な極細同軸ケーブルを示す図であって、図６は、極細同軸ケーブルの断面図である。
【０００４】
図５に示すように、一般的な極細同軸ケーブルアセンブリ１は、携帯電話等の電気機器における第１電子部品（図示省略）と第２電子部品（図示省略）を電気的に接続するために用いられるものであって、集合した多数本の極細同軸ケーブル３を備えている。また、図６に示すように、極細同軸ケーブル３は、中心導体５と、この中心導体５を覆う絶縁層７と、この絶縁層７の外周部に設けられかつ中心導体５をシールドする横巻き外部導体９と、この横巻き外部導体９の回りを覆うシース１１とを備えている。ここで、極細同軸ケーブル３の外径は、０．３ｍｍ程度が主流になっている。
【０００５】
図５に示すように、多数本の極細同軸ケーブル３の一端部には、極細同軸ケーブル専用の第１コネクタ１３が連結されており、この第１コネクタ１３は、前記第１電子部品における第１相手コネクタ１５に嵌合可能である。また、多数本の極細同軸ケーブル３の他端部には、極細同軸ケーブル専用の第２コネクタ１７が連結されており、この第２コネクタ１７は、前記第２電子部品における第２相手コネクタ１９に嵌合可能である。ここで、第１コネクタ１３及び第２コネクタ１７における極細同軸ケーブル３の接続ピッチは、０．４ｍｍが主流になっている。
【０００６】
なお、本発明に関連する先行技術として特許文献１に示すものがある。
【特許文献１】特開２００３−１２３５５２号公報
【発明の開示】
【発明が解決しようとする課題】
【０００７】
ところで、前記電気機器の伝送容量の増加に伴って、極細同軸ケーブルアセンブリ１における極細同軸ケーブル３の本数が増える傾向にある。一方、極細同軸ケーブル３の外径を考慮すると、第１コネクタ１３及び第２コネクタ１７における接続ピッチも０．４ｍｍより小さくすることは、現状は極めて困難である。そのため、極細同軸ケーブルアセンブリ１における極細同軸ケーブル３の本数が増えると（例えば３０本を越えると）、第１コネクタ１３又は第２コネクタ１７の幅が拡大して、第１コネクタ１３又は第２コネクタ１７の搭載面積が大きくなって、前記電気機器の小型化の障害になるという問題がある。
【課題を解決するための手段】
【０００８】
請求項１に記載の発明にあっては、電気機器における第１電子部品と第２電子部品を電気的に接続するために用いられる極細同軸ケーブルアセンブリにおいて、
集合した多数本の極細同軸ケーブルと；
両面側に前記極細同軸ケーブルと同数の第１接続パターンを有し、多数本の前記第１接続パターンの基端部が対応関係にある前記極細同軸ケーブルの一端部にそれぞれ電気的に接続するように構成された第１フレキシブル回路基板と；
前記第１フレキシブル回路基板の表面に設けられ、前記極細同軸ケーブルと同数の第１パターン側端子を有し、多数本の前記第１パターン側端子が対応関係にある前記第１接続パターンの先端部にそれぞれ電気的に接続するように構成され、前記第１電子部品における第１相手コネクタに嵌合可能なフレキシブル回路基板専用の第１コネクタと；
両面側に前記極細同軸ケーブルと同数の第２接続パターンを有し、多数本の前記第２接続パターンの基端部が対応関係にある前記極細同軸ケーブルの他端部にそれぞれ電気的に接続するように構成された第２フレキシブル回路基板と；
前記第２フレキシブル回路基板の表面に設けられ、前記極細同軸ケーブルと同数の第２パターン側端子を有し、多数本の前記第２パターン側端子が対応関係にある前記第２接続パターンの先端部にそれぞれ電気的に接続するように構成され、前記第２電子部品における第２相手コネクタに嵌合可能なフレキシブル回路基板専用の第２コネクタと；  を具備してなることを特徴とする。
【０００９】
請求項１に記載の発明特定事項によると、前記第１フレキシブル回路基板の両面側に、前記極細同軸ケーブルと同数の第１接続パターンを有してあって、前記第１コネクタは、多数本の前記第１パターン側端子が対応関係にある前記第１接続パターンの先端部に電気的に接続するように構成されているため、前記極細同軸ケーブルアセンブリにおける前記極細同軸ケーブルの本数が増えても、前記第１コネクタの幅の拡大を十分に抑えることができると共に、前記第１フレキシブル回路基板の幅を小さくすることができる。
【００１０】
同様に、前記第２フレキシブル回路基板の両面側に、前記極細同軸ケーブルと同数の第２接続パターンを有してあって、前記第２コネクタは、多数本の前記第２パターン側端子が対応関係にある前記第２接続パターンの先端部に電気的に接続するように構成されているため、前記極細同軸ケーブルアセンブリにおける前記極細同軸ケーブルの本数が増えても、前記第２コネクタの幅の拡大を十分に抑えることができると共に、前記第２フレキシブル回路基板の幅を小さくすることができる。
【００１１】
請求項２に記載の発明にあっては、請求項１に記載の発明特定事項の他に、前記第１フレキシブル回路基板の両面にそれぞれ設けられ、多数本の前記極細同軸ケーブルの外部導体に挟むように電気的に接続した一対の第１グランドバーと；
前記第２フレキシブル回路基板の両面にそれぞれ設けられ、多数本の前記極細同軸ケーブルの外部導体に挟むように電気的に接続した一対の第２グランドバーと；  を具備してなることを特徴とする。
【００１２】
請求項２に記載の発明特定事項によると、請求項１に記載の発明特定事項による作用の他に、一対の前記第１グランドバー及び一対の前記第２グランドバーが多数本の前記極細同軸ケーブルの外部導体に挟むように電気的に接続しているため、多数本の前記極細同軸ケーブルの引張強度が高くなる。
【００１３】
請求項３に記載の発明にあっては、多数本の極細同軸ケーブルを集合してなる極細同軸ケーブルアセンブリの端末構造において、
両面側に前記極細同軸ケーブルと同数の接続パターンを有し、多数本の前記接続パターンの基端部が対応関係にある前記極細同軸ケーブルの端部にそれぞれ電気的に接続するように構成されたフレキシブル回路基板と；
前記フレキシブル回路基板の表面に設けられ、前記極細同軸ケーブルと同数のパターン側端子を有し、多数本の前記パターン側端子が対応関係にある前記接続パターンの先端部にそれぞれ電気的に接続するように構成され、電子部品における相手コネクタに嵌合可能なフレキシブル回路基板専用のコネクタと；  を具備してなることを特徴とする。
【００１４】
請求項３に記載の発明特定事項によると、前記フレキシブル回路基板の両面側に、前記極細同軸ケーブルと同数の接続パターンを有してあって、前記コネクタは、多数本の前記パターン側端子が対応関係にある前記接続パターンの先端部に電気的に接続するように構成されているため、前記極細同軸ケーブルアセンブリにおける前記極細同軸ケーブルの本数が増えても、前記コネクタの幅の拡大を十分に抑えることができると共に、前記フレキシブル回路基板の幅を小さくすることができる。
【００１５】
請求項４に記載の発明にあっては、請求項３に記載の発明特定事項の他に、前記フレキシブル回路基板の両面にそれぞれ設けられ、多数本の前記極細同軸ケーブルの外部導体に挟むように電気的に接続した一対のグランドバーと；  を具備してなることを特徴とする。
【００１６】
請求項４に記載の発明特定事項によると、請求項３に記載の発明特定事項による作用の他に、一対の前記グランドバーが多数本の前記極細同軸ケーブルの外部導体に挟むように電気的に接続しているため、多数本の前記極細同軸ケーブルの引張強度が高くなる。
【発明の効果】
【００１７】
請求項１に記載の発明によれば、前記極細同軸ケーブルアセンブリにおける前記極細同軸ケーブルの本数が増えても、前記第１コネクタ及び前記第２コネクタの幅の拡大を十分に抑えることができるため、前記第１コネクタ及び前記第２コネクタの搭載面積を小さくして、前記電気機器の小型化を促進することができる。
【００１８】
また、前記極細同軸ケーブルアセンブリにおける前記極細同軸ケーブルの本数が増えても、前記第１フレキシブル回路基板及び前記第２フレキシブル回路基板の幅を小さくすることができるため、前記電気機器の狭いスペースを利用して、前記極細同軸ケーブルアセンブリを搭載することができる。
【００１９】
請求項２に記載の発明にあっては、請求項１に記載の発明の効果の他に、多数本の前記極細同軸ケーブルの引張強度が高くなるため、前記極細同軸ケーブルアセンブリの機械的特性が高くなって、前記極細同軸ケーブルアセンブリの品質が向上する。
【００２０】
請求項３に記載の発明によれば、前記極細同軸ケーブルアセンブリにおける前記極細同軸ケーブルの本数が増えても、前記コネクタの幅の拡大を十分に抑えることができるため、前記コネクタの搭載面積を小さくして、前記電気機器の小型化を促進することができる。
【００２１】
また、前記極細同軸ケーブルアセンブリにおける前記極細同軸ケーブルの本数が増えても、前記フレキシブル回路基板の幅を小さくすることができるため、前記電気機器の狭いスペースを利用して、前記極細同軸ケーブルアセンブリを搭載することができる。
【００２２】
請求項４に記載の発明にあっては、請求項３に記載の発明の効果の他に、多数本の前記極細同軸ケーブルの引張強度が高くなるため、前記極細同軸ケーブルアセンブリの機械的特性が高くなって、前記極細同軸ケーブルアセンブリの品質が向上する。
【発明を実施するための最良の形態】
【００２３】
本発明の最良の形態について図１から図４を参照して説明する。
【００２４】
ここで、図１は、最良の形態に係わる極細同軸ケーブルアセンブリを示す図であって、図２は、最良の形態に係わる第１端末構造を示す図であって、図３は、最良の形態に係わる第２端末構造を示す図であって、図４は、最良の形態に係わる携帯電話を示す斜視図である。
【００２５】
図１及び図４に示すように、最良の形態に係わる極細同軸ケーブルアセンブリ２１は、携帯電話２３における第１電子部品としての第１基板２５と第２電子部品としての第２基板２７を電気的に接続するために用いられるケーブルアセンブリである。なお、極細同軸ケーブルアセンブリ２１の具体的な構成について説明する前に、携帯電話２３の構成について簡単に説明する。
【００２６】
携帯電話２３は、第１基板２５を内蔵した第１筐体２９と、第２基板２７を内蔵した第２筐体３１と、第１筐体２９と第２筐体３１を連結するヒンジ部３３とを具備しており、第２筐体３１は、ヒンジ部３３によって第１筐体２９に対して２つの回転軸心Ｓ１，Ｓ２を中心として回転可能である。また、第１基板２５は、第１相手コネクタ３５（図１参照）を備えており、第２基板２７は、第２相手コネクタ３７（図１参照）を備えている。なお、第２基板２７には、液晶表示部ＬＣＤが接続してある。
【００２７】
次に、最良の形態に係わる極細同軸ケーブルアセンブリ２１の具体的な構成について説明する。
【００２８】
極細同軸ケーブルアセンブリ２１は、多数本の極細同軸ケーブル３９を集合してなり、極細同軸ケーブル３９は、前述の極細同軸ケーブル３（図６参照）と同様の構成であって、中心導体５と、この中心導体５を覆う絶縁層７と、この絶縁層７の外周部に設けられかつ中心導体５をシールドする横巻き外部導体９と、この横巻き外部導体９の回りを覆うシース１１とを備えている（図６参照）。
【００２９】
極細同軸ケーブルアセンブリ２１は、一端側に、第１端末構造（極細同軸ケーブルアセンブリにおける端末構造）４１を備えている。
【００３０】
即ち、多数本の極細同軸ケーブル３９の一端側には、第１フレキシブル回路基板４３が連結されており、第１フレキシブル回路基板４３の両側面には、極細同軸ケーブル３９と同数の第１接続パターン４５を有している。そして、第１フレキシブル回路基板４３は、多数本の第１接続パターン４５の基端部４５ａが対応関係にある極細同軸ケーブル３９の一端部にそれぞれ電気的に接続するように構成されている。
【００３１】
第１フレキシブル回路基板４３の両面（表面と裏面）には、一対の第１グランドバー４７がそれぞれ設けられており、一対の第１グランドバー４７は、多数本の極細同軸ケーブル３９の外部導体９に挟むように電気的に接続してある。
【００３２】
第１フレキシブル回路基板４３の表面には、第１基板２５における第１相手コネクタ３５に嵌合可能なフレキシブル回路基板専用の第１コネクタ４９が実装されており、第１コネクタ４９は、極細同軸ケーブル３９と同数の第１パターン側端子５１及び第１相手コネクタ側端子５３を有している。そして、第１コネクタ４９は、多数本の第１パターン側端子５１が対応関係にある第１接続パターン４５の先端部４５ｂに電気的に接続するように構成されている。なお、フレキシブル回路基板専用の第１コネクタ４９の代わりに、第１フレキシブル回路基板４３の一部に形成された第１嵌合部も用いてもよい。
【００３３】
同様に、極細同軸ケーブルアセンブリ２１は、他端側に、第２端末構造（極細同軸ケーブルアセンブリにおける端末構造）５５を備えている。
【００３４】
即ち、多数本の極細同軸ケーブル３９の他端側には、第２フレキシブル回路基板５７が連結されており、第２フレキシブル回路基板５７の両側面には、極細同軸ケーブル３９と同数の第２接続パターン５９を有している。そして、第２フレキシブル回路基板５７は、多数本の第２接続パターン５９の基端部５９ａが対応関係にある極細同軸ケーブル３９の一端部にそれぞれ電気的に接続するように構成されている。
【００３５】
第２フレキシブル回路基板５７の両面（表面と裏面）には、一対の第２グランドバー６１がそれぞれ設けられており、一対の第２グランドバー６１は、多数本の極細同軸ケーブル３９の外部導体９に挟むように電気的に接続してある。
【００３６】
第２フレキシブル回路基板５７の表面には、第１基板２５における第１相手コネクタ３５に嵌合可能なフレキシブル回路基板専用の第２コネクタ６３が実装されており、第２コネクタ６３は、極細同軸ケーブル３９と同数の第２パターン側端子６５及び第２相手コネクタ側端子６７を有している。そして、第２コネクタ６３は、多数本の第２パターン側端子６５が対応関係にある第２接続パターン５９の先端部５９ｂに電気的に接続するように構成されている。なお、フレキシブル回路基板専用の第２コネクタ６３の代わりに、第２フレキシブル回路基板５７の一部に形成された第２嵌合部も用いてもよい。
【００３７】
次に、最良の形態の作用について説明する。
【００３８】
第１フレキシブル回路基板４３の両面側に、極細同軸ケーブル３９と同数の第１接続パターン４５を有してあって、第１コネクタ４９は、多数本の第１パターン側端子５１が対応関係にある第１接続パターン４５の先端部４５ｂに電気的に接続するように構成されているため、極細同軸ケーブルアセンブリ２１における極細同軸ケーブル３９の本数が増えても、第１コネクタ４９の幅の拡大を十分に抑えることができると共に、第１フレキシブル回路基板４３の幅を小さくすることができる。
【００３９】
同様に、第２フレキシブル回路基板５７の両面側に、極細同軸ケーブル３９と同数の第２接続パターン５９を有してあって、第２コネクタ６３は、多数本の第２パターン側端子６５が対応関係にある第２接続パターン５９の先端部５９ｂに電気的に接続するように構成されているため、極細同軸ケーブルアセンブリ２１における極細同軸ケーブル３９の本数が増えても、第２コネクタ６３の幅の拡大を十分に抑えることができると共に、第２フレキシブル回路基板５７の幅を小さくすることができる。
【００４０】
また、一対の第１グランドバー４７及び一対の第２グランドバー６１が多数本の極細同軸ケーブル３９の外部導体９に挟むように電気的に接続しているため、多数本の極細同軸ケーブル３９の引張強度が高くなる。
【００４１】
以上の如き、最良の形態によれば、極細同軸ケーブルアセンブリ２１における極細同軸ケーブル３９の本数が増えても、第１コネクタ１５及び第２コネクタ６３の幅の拡大を十分に抑えることができるため、第１コネクタ１５及び第２コネクタ６３の搭載面積を小さくして、携帯電話２３の小型化を促進することができる。
【００４２】
また、極細同軸ケーブルアセンブリ２１における極細同軸ケーブル３９の本数が増えても、第１フレキシブル回路基板４３及び第２フレキシブル回路基板５７の幅を小さくすることができるため、携帯電話２３の狭いスペースを利用して、極細同軸ケーブルアセンブリ２１を搭載することができる。
【００４３】
更に、多数本の極細同軸ケーブル３９の引張強度が高くなるため、極細同軸ケーブルアセンブリ２１の機械的特性が高くなって、極細同軸ケーブルアセンブリ２１の品質が向上する。
【００４４】
なお、本発明は、前述の発明の最良の形態の説明に限るものではなく、適宜の変更を行うことにより、その他種々の態様で実施可能である。
【図面の簡単な説明】
【００４５】
【図１】最良の形態に係わる極細同軸ケーブルアセンブリを示す図である。
【図２】最良の形態に係わる第１端末構造を示す図である。
【図３】最良の形態に係わる第２端末構造を示す図である。
【図４】最良の形態に係わる携帯電話を示す斜視図である。
【図５】一般的な極細同軸ケーブルを示す図である。
【図６】極細同軸ケーブルの断面図である。
【符号の説明】
【００４６】
２１      極細同軸ケーブルアセンブリ
２３      携帯電話
３５      第１相手コネクタ
３７      第２相手コネクタ
３９      極細同軸ケーブル
４３      第１フレキシブル回路基板
４５      第１接続パターン
４７      第１グランドバー
４９      第１コネクタ
５１      第１パターン側端子
５７      第２フレキシブル回路基板
５９      第２接続パターン
６１      第２グランドバー
６３      第２コネクタ
６５      第２パターン側端子
【図１】
2005259598.tif 000003
【図２】
2005259598.tif 000004
【図３】
2005259598.tif 000005
【図４】
2005259598.tif 000006
【図５】
2005259598.tif 000007
【図６】
2005259598.tif 000008